(57)【要約】      （修正有）【課題】使用者端末機の広告コンテンツ情報本文にエンベデッド（Ｅｍｂｅｄｄｅｄ）形態で提供される地図に広告を掲載し、サービス事業者の広告収益を創出し、広告効率を最大にするエンベデッドマップを利用した広告システム及び方法を提供する。【解決手段】ＳＯＩ（Ｓｐａｃｅ  Ｏｆ  Ｉｎｔｅｒｅｓｔ）情報を利用して位置基盤データを生成するＳＯＩサーバー２００と、使用者端末機１００のエンベデッドマップ１１０上に掲載した広告のログ情報を収集して格納し、位置基盤データを利用してエンベデッドマップの広告領域上に広告コンテンツ情報を提供する広告サーバー３００とを含む。【選択図】図１
2013156633.tif 000002
【特許請求の範囲】
【請求項１】
ＳＯＩ（Ｓｐａｃｅ  Ｏｆ  Ｉｎｔｅｒｅｓｔ）情報を利用して位置基盤データを生成するＳＯＩサーバーと、
前記位置基盤データを利用してエンベデッドマップの広告領域上に広告コンテンツ情報を提供する広告サーバーと
を含むことを特徴とするエンベデッドマップを利用した広告システム。
【請求項２】
前記広告サーバーは、使用者端末機の前記エンベデッドマップ上に掲載した広告のログ情報を収集して格納することを特徴とする請求項１に記載のエンベデッドマップを利用した広告システム。
【請求項３】
前記広告サーバーは、
前記位置基盤データを広告情報と組み合わせて前記広告コンテンツ情報を生成する広告処理部と、
前記使用者端末機から広告コンテンツ情報を受信して前記広告処理部に伝達し、前記広告コンテンツ情報を前記使用者端末機に送信する応用プログラミングインタフェース（ＡＰＩ）と、
前記使用者端末機から収集されたログ情報を前記広告処理部に伝達するロガーＡＰＩと、
前記広告情報を格納するデータベース部と
を含むことを特徴とする請求項２に記載のエンベデッドマップを利用した広告システム。
【請求項４】
前記データベース部は、
前記使用者端末機に表示された広告コンテンツ情報、広告主情報、広告内容、広告条件、広告掲載期間、位置情報、広告費決済情報、ページ情報、前記広告領域の情報、動画情報、イメージ情報のうち少なくとも一つ以上を格納する広告データベースと、
前記使用者端末機に掲載した広告の前記ログ情報を格納する広告ログデータベースと、
前記ログ情報を広告コンテンツ情報別に整列して格納する広告内訳データベースと
を含むことを特徴とする請求項３に記載のエンベデッドマップを利用した広告システム。
【請求項５】
前記広告コンテンツ情報は、親ページのＵＲＬキャッチャー情報を含むことを特徴とする請求項４に記載のエンベデッドマップを利用した広告システム。
【請求項６】
前記広告処理部は、広告コンテンツ情報本文のテキスト、マップ地域、キーワード、広告期間、広告時間及び端末機種類のうち少なくとも一つ以上を分析し、前記広告コンテンツ情報を決定することを特徴とする請求項３に記載のエンベデッドマップを利用した広告システム。
【請求項７】
前記ＳＯＩ情報は位置情報、形状情報、識別子情報のうち少なくとも一つ以上の情報を含むことを特徴とする請求項１に記載のエンベデッドマップを利用した広告システム。
【請求項８】
前記広告コンテンツ情報は、前記エンベデッドマップのＳＯＩ情報と隣接した前記広告領域上に動画形態に提供されることを特徴とする請求項１に記載のエンベデッドマップを利用した広告システム。
【請求項９】
前記広告領域は、前記エンベデッドマップ上で幾多の位置にテキスト形態に表示されることを特徴とする請求項１に記載のエンベデッドマップを利用した広告システム。
【請求項１０】
前記広告コンテンツ情報は、前記エンベデッドマップのＳＯＩ情報と隣接した前記広告領域上にバナー形態に提供されることを特徴とする請求項１に記載のエンベデッドマップを利用した広告システム。
【請求項１１】
前記広告コンテンツ情報は、前記エンベデッドマップ上の地図上にオーバーレイされるように形成されることを特徴とする請求項１に記載のエンベデッドマップを利用した広告システム。
【請求項１２】
位置基盤データを生成するサーバーと、
前記位置基盤データを利用してエンベデッドマップの広告領域上に広告コンテンツ情報を提供する広告サーバーと
を含むことを特徴とするエンベデッドマップを利用した広告システム。
【請求項１３】
前記広告サーバーは、使用者端末機の前記エンベデッドマップ上に掲載した広告のログ情報を収集して格納することを特徴とする請求項１２に記載のエンベデッドマップを利用した広告システム。
【請求項１４】
前記サーバーは、ＰＯＩ（Ｐｏｉｎｔ  ｏｆ  Ｉｎｔｅｒｅｓｔ）情報又は位置座標を利用して前記位置データを生成することを特徴とする請求項１２に記載のエンベデッドマップを利用した広告システム。
【請求項１５】
ＳＯＩ（Ｓｐａｃｅ  Ｏｆ  Ｉｎｔｅｒｅｓｔ）情報を利用して位置基盤データを生成するステップと、
前記位置基盤データを利用してエンベデッドマップの広告領域上に広告コンテンツ情報を提供するステップと
を含むことを特徴とするエンベデッドマップを利用した広告方法。
【請求項１６】
使用者端末機の前記エンベデッドマップ上に掲載した広告のログ情報を収集して格納するステップをさらに含むことを特徴とする請求項１５に記載のエンベデッドマップを利用した広告方法。
【請求項１７】
一つ又はそれ以上の広告とのリンクを含んでエンベデッドマップ上にディスプレイされるマップデータを提供するステップと、
前記一つ又はそれ以上の広告で特定広告を見るための要請信号を受信するステップと、
前記エンベデッドマップ上でディスプレイするため前記特定広告を提供するステップと
を含むことを特徴とするエンベデッドマップを利用した広告方法。
【請求項１８】
前記特定広告は、前記エンベデッドマップ上に少なくとも一部がオーバーレイされるように形成されることを特徴とする請求項１７に記載のエンベデッドマップを利用した広告方法。
【請求項１９】
前記特定広告は、前記エンベデッドマップ上に全体領域にオーバーレイされるように形成されることを特徴とする請求項１７に記載のエンベデッドマップを利用した広告方法。
【請求項２０】
前記特定広告は、前記エンベデッドマップを代替するようにディスプレイされることを特徴とする請求項１７に記載のエンベデッドマップを利用した広告方法。
【請求項２１】
前記エンベデッドマップは、
マップ、前記マップと隣接した一つ又はそれ以上のグラフィック要素を含むことを特徴とする請求項１７に記載のエンベデッドマップを利用した広告方法。
【請求項２２】
前記特定広告は、前記マップ上に少なくとも一部がオーバーレイされるように形成されることを特徴とする請求項２１に記載のエンベデッドマップを利用した広告方法。
【請求項２３】
前記特定広告は、前記マップを代替するようにディスプレイされることを特徴とする請求項２１に記載のエンベデッドマップを利用した広告方法。
【請求項２４】
前記エンベデッドマップは、ＳＯＩ（Ｓｐａｃｅ  Ｏｆ  Ｉｎｔｅｒｅｓｔ）情報基盤のエンベデッドマップであることを特徴とする請求項１７に記載のエンベデッドマップを利用した広告方法。
【発明の詳細な説明】
【技術分野】
【０００１】
本発明は、エンベデッドマップを利用した広告システム及び方法に係り、特に、位置情報が分かるマップ（Ｍａｐ）を利用してサービス事業者の広告収益を創出することができるエンベデッドマップを利用した広告システム及び方法に関する。
【背景技術】
【０００２】
一般に、企業や公共機関は新聞、放送などの伝統的なマスコミの利用はもちろん、散らし及びインターネットを利用して広告を行っている。ところが、このような方法等は、広告内容の変更や交替作業が簡単でなく、一度製作された広告物等を再活用するのが困難なので追加費用が多くかかることになる。
さらに、銀行や官公署など請願人に対する案内のために設けられる広告装置は、広告の内容が変更される場合、そのアップロードが容易でない。特に、その広告のためのディスプレイが限定されているので、利用者等の視線を容易に惹くことができなくなる欠点がある。
【０００３】
最近、インターネットの急激な拡大及び発展により、インターネットを利用した広告が新しい広告手段として脚光を浴びている。オフライン上の広告方法に比べて相対的にかかる費用が少なく、持続的な広告が可能なオンライン広告が新しい流れとして登場した。
インターネットを介した広告方法には、各企業体のホームページを介して広告情報を提供する方法、又は、ウェブ運営者のウェブサイト上でバナー形態に広告情報を提供する方法だけでなく、ＧＩＳ（Ｇｅｏｇｒａｐｈｉｃ  Ｉｎｆｏｒｍａｔｉｏｎ  Ｓｙｓｔｅｍ）基盤の元で電子地図上の特定位置に広告情報を表示する方法などがある。
【０００４】
このようなオンライン広告は、時間的、地域的限界を越えて幾多の人々とリアルタイムで情報を交換することができる利点がある。そして、オンライン上でリアルタイムに消費者や利用者の購買行為を導き出すことができる点から、既存のＴＶや紙面などを利用したオフライン広告に比ベて卓越した広告効果を有している。したがって、最近は多様なオンライン広告技法が開発され実施されている。
【０００５】
ところが、オンライン広告が挿入される広告代行のウェブページは、その限定された紙面により一度に多くの広告を掲載することができない。さらに、広告主が他社との競争上一層良い位置で自分の広告が掲載されることを望み、広告代行会社も広告収益の増加を望むため、広告代行ウェブページでオンライン広告を掲載する方式においても多様なモデルが開発され提示されている。
【０００６】
なお、既存のコンテンツを利用した広告は、本文中一部のキーワードを利用したマッピング広告、テキスト広告又はバナー広告からなっている。
ところが、既存のオンライン広告方式は、場所に係る広告をする際キーワードに基づいた広告を掲載することにより、直接的に当該場所を広告するか、その隣近地域に係る広告をするのに限界がある。つまり、コンテンツ本文と係る広告は、コンテンツが属しているシステムにのみ提供される制約がある。
【先行技術文献】
【特許文献】
【０００７】
【特許文献１】韓国特許１０−２０１０−０１３５９６８
【特許文献２】特開２０１０−２３７３０５号公報
【発明の概要】
【発明が解決しようとする課題】
【０００８】
本発明は、使用者端末機の広告コンテンツ情報本文にエンベデッド（Ｅｍｂｅｄｄｅｄ）形態で提供される地図に広告を掲載し、サービス事業者の広告収益を創出し、広告効率を最大にするエンベデッドマップを利用した広告システム及び方法の提供を目的とする。
また、本発明は、ＳＯＩ（Ｓｐａｃｅ  Ｏｆ  Ｉｎｔｅｒｅｓｔ）情報又はＰＯＩ（Ｐｏｉｎｔ  ｏｆ  Ｉｎｔｅｒｅｓｔ）情報を利用してエンベデッドマップに広告を提供することにより、使用者に位置基盤データを正確に提供でき、
さらに、エンベデッドマップを介し広告イメージ又は動画コンテンツを提供することにより使用者の視線を集中させ、広告効果を最大にすることを目的とする。
【課題を解決するための手段】
【０００９】
本発明の実施例に係るエンベデッドマップを利用した広告システムは、ＳＯＩ（Ｓｐａｃｅ  Ｏｆ  Ｉｎｔｅｒｅｓｔ）情報を利用して位置基盤データを生成するＳＯＩサーバーと、位置基盤データを利用してエンベデッドマップの広告領域上に広告コンテンツ情報を提供する広告サーバーとを含むことを特徴とする。
本発明の他の実施形態に係るエンベデッドマップを利用した広告システムは、位置基盤データを生成するサーバーと、位置基盤データを利用してエンベデッドマップの広告領域上に広告コンテンツ情報を提供する広告サーバーとを含むことを特徴とする。
【００１０】
本発明の他の実施形態に係るエンベデッドマップを利用した広告方法は、ＳＯＩ（  Ｓｐａｃｅ  Ｏｆ  Ｉｎｔｅｒｅｓｔ）情報を利用して位置基盤データを生成するステップと、前記位置基盤データを利用してエンベデッドマップの広告領域上に広告コンテンツ情報を提供するステップとを含むことを特徴とする。
本発明の他の実施形態に係るエンベデッドマップを利用した広告方法は、一つ又はそれ以上の広告とのリンクを含んでエンベデッドマップ上にディスプレイされるマップデータを提供するステップと、前記一つ又はそれ以上の広告で特定広告を見るための要請信号を受信するステップと、前記エンベデッドマップ上でディスプレイするため前記特定広告を提供するステップとを含むことを特徴とする。
【発明の効果】
【００１１】
本発明によれば、対象となる広告コンテンツ情報と連結された空間及び隣近空間に対する広告を視覚的に提供すること、広告主が広告コンテンツ情報を照会する人々に空間と広告コンテンツ情報に基づいたターゲット広告を提供すること、内部システムはもちろん、外部システムでもエンベデッドマップを介して広告を提供すること、プラットフォームを提供する事業者はもちろん、広告掲載に寄与した広告コンテンツ情報著作者も広告により発生する収益を得ることができる。
【００１２】
また、本発明によれば、直接的に広告主の事業空間と関連のないコンテンツであっても、隣近空間に該当するものであれば、エンベデッドマップを介し広告きるようにして広告主の満足度を向上させることができ、
位置基盤サービス（ＬＢＳ；Ｌｏｃａｔｉｏｎ  Ｂａｓｅｄ  Ｓｅｒｖｉｃｅ）の拡大を介し変化したオンライン環境に適する新しい広告形態が提供されるようにする効果がある。
併せて、本発明の実施形態は例示のためのものであって、当業者であれば特許請求の範囲の技術的思想と範囲を介し多様な修正、変更、代替及び付加が可能なはずであり、このような修正、変更などは特許請求の範囲に属するものとみなければならない。
【図面の簡単な説明】
【００１３】
【図１】本発明の実施形態に係るエンベデッドマップを利用した広告システムの構成を示す図である。
【図２】図１の実施形態で広告主が広告情報を登録する過程を示したフローチャートである。
【図３】本発明の他の実施形態に係るエンベデッドマップを利用した広告方法を説明するためのフローチャートである。
【図４】本発明の実施形態に係るエンベデッドマップを利用した広告システムの画面構成を示す図である。
【図５】本発明の実施形態に係るエンベデッドマップを利用した広告システムの画面構成を示す図である。
【図６】本発明の実施形態に係るエンベデッドマップを利用した広告システムの画面構成を示す図である。
【図７】本発明の実施形態に係るエンベデッドマップを利用した広告システムの画面構成を示す図である。
【図８】本発明の実施形態に係るエンベデッドマップを利用した広告システムの画面構成を示す図である。
【図９】本発明の実施形態に係るエンベデッドマップを利用した広告システムの画面構成を示す図である。
【発明を実施するための形態】
【００１４】
以下、図を参照し、本発明の実施形態について詳しく説明する。
本発明の実施形態は、使用者端末機１００、ＳＯＩ（Ｓｐａｃｅ  Ｏｆ  Ｉｎｔｅｒｅｓｔ）サーバー２００及び広告サーバー３００を含む。
ここで、使用者端末機１００はエンベデッドマップ１１０を含む。
なお、広告サーバー３００は広告処理部３１０、応用プログラミングインタフェース（ＡＰＩ：Ａｐｐｌｉｃａｔｉｏｎ  Ｐｒｏｇｒａｍｍｉｎｇ  Ｉｎｔｅｒｆａｃｅ、以下、「ＡＰＩ」と記す）３２０、ロガー（Ｌｏｇｅｒ）ＡＰＩ  ３３０、データベース部３４０を含む。ここで、データベース部３４０は広告データベース（Ｄａｔａ  ｂａｓｅ；３４１、以下、「ＤＢ」と記す）、広告ログデータベース３４２、広告内訳データベース３４３を含む。
【００１５】
使用者端末機１００は内部コンテンツ又は外部コンテンツを含むことができ、広告掲載したエンベデッドマップ１１０を含む。
エンベデッドマップ１１０は、広告コンテンツ情報の本文でエンベデッド（Ｅｍｂｅｄｄｅｄ）形態に提供される地図情報を含み、マップ（Ｍａｐ）上に広告領域が掲載されるようにする。エンベデッド（Ｅｍｂｅｄｄｅｄ）  とは、特定の機能を実現するために家電製品や機械等に組み込まれることを言い、本発明の実施形態で『エンベデッド』の意味は、使用者端末機１００の広告コンテンツ情報本文で特定領域に位置した地図を意味する。
ここで、エンベデッドマップ１１０が表出される広告コンテンツ情報は、広告コンテンツ情報製作者により作成される。エンベデッドマップ１１０は、特定空間を選択して文章を作成するか、既に生成されているエンベデッドマップのリンクを添付して当該事業者の内部コンテンツ及び外部の他のコンテンツに表出される。そして、広告コンテンツ情報製作者は、使用者端末機１００のウェブページ上でエンベデッドマップ１１０に掲載する広告の位置を予め選定することができる。
【００１６】
エンベデッドマップ１１０を利用して特定地域の位置情報を得ようとする使用者はコンピューター、携帯電話又はスマートホンなどのような使用者端末機１００に接続し、距離、地形、地物及び道路情報など目的地域と係わる一切の情報を容易に提供してもらうことができる。
ＳＯＩサーバー２００は、ＳＯＩ単位で位置基盤データを生成し、位置基盤データを管理及び処理する。
より具体的に、ＳＯＩサーバー２００は位置情報、形状情報、ＳＯＩ識別子などのＳＯＩ情報を生成し、ＳＯＩ情報から位置情報、形状情報、識別子情報などを照会して修正する。なお、ＳＯＩサーバー２００はデータ情報などを収集し、ＳＯＩ情報を参照して位置基盤データを生成する。
【００１７】
さらに、ＳＯＩサーバー２００はＳＯＩ単位に位置基盤データを管理し、位置情報、形状情報、識別子情報などを累積して管理し、時間の変化に伴い前記情報等が変更されるか削除されても、この情報が保存されるように管理する。
なお、広告サーバー３００の広告処理部３１０は、ＳＯＩサーバー２００から生成された位置基盤データを広告情報と組み合わせて表出される広告を決定する。このような広告処理部３１０は、ＡＰＩ  ３２０を介して使用者端末機１００から広告コンテンツ情報の伝達を受け、これを広告ＤＢ  ３４１に保存する。ここで、広告コンテンツ情報は、親ページのＵＲＬキャッチャー情報又は応用プログラミングインタフェース（ＡＰＩ：Ａｐｐｌｉｃａｔｉｏｎ  Ｐｒｏｇｒａｍｍｉｎｇ  Ｉｎｔｅｒｆａｃｅ；ＡＰＩ）情報を含む。
【００１８】
なお、広告処理部３１０は、ＳＯＩサーバー２００から位置基盤データが入力されると、広告ＤＢ  ３４１から当該位置又は当該地域の広告情報を抽出する。
そして、広告処理部３１０は、広告ＤＢ  ３４１から抽出された広告情報と位置基盤データとを組み合わせて条件を分析したあと、当該位置でのＳＯＩ情報と広告領域をエンベデッドマップ２２０に掲載されるように制御する。
このとき、広告処理部３１０で決定された広告情報は、ＡＰＩ  ３２０を介して再度使用者端末機１００のエンベデッドマップ１１０に送信される。そして、広告処理部３１０は広告コンテンツ情報本文のテキスト、マップ地域、キーワード、広告期間、広告時間及び端末機の種類を分析して適した広告を決定して提供する。
【００１９】
ここで、広告情報が格納される広告ＤＢ  ３４１は、広告を契約した広告主の情報、広告費決済情報、業種情報、及び広告主が登録したページ情報などを含む。そして、広告ＤＢ  ３４１は位置基盤データに基づき広告領域情報、当該広告領域の動画情報、当該広告領域のイメージ情報及び広告コンテンツ情報などを含む。
広告処理部３１０は、広告ＤＢ  ３４１に格納された情報を分析し、エンベデッドマップ１１０に含まれた業者のうち当該広告主と対応される少なくとも一つの業者を選択してＳＯＩ情報を表示する。
そして、広告ログＤＢ  ３４２は、掲載した広告のログ情報を収集して格納する。ここで、ログ情報は照会ロガー情報、広告照会ロガー情報及び親ページのＵＲＬ（Ｕｎｉｖｅｒｓａｌ  Ｒｅｓｏｕｒｃｅ  Ｌｏｃａｔｏｒ）キャッチャー（Ｃａｔｃｈｅｒ）情報を含む。
【００２０】
広告ログＤＢ  ３４２に格納される照会ロガー情報は、使用者が当該広告ページを照会して広告が掲載された回数情報を表す。そして、広告照会ロガー情報は、掲載した広告を使用者が如何に多くクリックしたのかを照会する回数情報を表す。さらに、親ページのＵＲＬキャッチャー情報は、内部又は外部コンテンツでどのページに掲載したのかを表す情報である。
ロガーＡＰＩ  ３３０は、前記の情報等をエンベデッドマップ１１０を介し収集することになり、収集された情報等を広告処理部３１０に伝達する。そうすると、広告処理部３１０はロガーＡＰＩ  ３３０を介し収集された前記の情報を広告ロードＤＢ  ３４２に格納する。
【００２１】
さらに、広告内訳ＤＢ  ３４３は、広告コンテンツ情報別に広告ログ内訳を収集して格納する。このような広告内訳ＤＢ  ３４３は、広告ログＤＢ  ３４２に格納されたログ情報を分析し、広告コンテンツ情報別に整列して格納する。つまり、広告コンテンツ情報は広告主の選択に従い複数に設定されてもよく、広告内訳ＤＢ  ３４３は契約条件に従い広告主及び当該広告コンテンツ情報をコンテンツ別に分類して格納する。
広告処理部３１０は、広告内訳ＤＢ  ３４３に格納されたログ情報を分析し、これを根拠にして広告媒体に広告費の精算を行う。
ここで、広告媒体は、使用者端末機１００に表示される広告コンテンツ情報を製作した広告コンテンツ情報製作者（内部コンテンツ製作者又は外部コンテンツ製作者を含むことができる）、及び広告サーバー３００を管理するサービス事業者になる。
サービス事業者は、広告金額広告内訳ＤＢ  ３４３に格納された情報等を根拠にして広告金額、広告の掲載対象、デバイス（Ｄｅｖｉｃｅ）及び収益分配の割合などを抽出する。そして、サービス事業者はこの情報に基づき広告掲載に寄与した広告媒体等に収益を分配する。
【００２２】
図２は、図１の実施形態で広告主が広告情報を登録する過程を示したフローチャートである。
先ず、広告主１０が広告サーバー３００へ広告主加入情報登録要請を行えば（ステップＳ１０１）、広告サーバー３００は広告主加入情報（事業場位置情報など）を登録し（ステップＳ１０２）、広告主ページを生成する（ステップＳ１０３）。
以後、広告サーバー３００は広告主ページを広告主１０に提供し（ステップＳ１０４）、広告主１０は広告主ページを介し広告情報登録を要請する（ステップＳ１０５）。
このとき、広告主１０は広告主ページを介し広告内容、広告条件（時間帯、期間など）、広告位置（ページ上段、中央、下段など）、広告連結情報（動画、バナー、テキスト、リンク、ハイライトなど）に対する情報を入力する。
ここに、広告サーバー３００は広告条件、広告連結情報、広告位置に従い広告費を算出し（ステップＳ１０６）、広告主１０に広告費の決済を要請する。このとき、下位ＳＯＩリストで上位への位置を望む場合、又は目立つようにハイライティングを表示する場合、広告費をさらに要請することができる。
【００２３】
図３は、本発明の他の実施形態に係るエンベデッドマップを利用した広告方法を説明するためのフローチャートである。
先ず、広告主が加入情報を入力して広告サーバー３００に広告を申請し、広告費を決済して広告情報を登録する（ステップＳ２０１）。
ここで、広告主の入力する加入情報は、広告主に関する情報、広告形態、広告内容、広告の対象となる業者の位置情報、広告地域、広告場所、広告空間、広告掲載期間、端末機種類、又は当該業者のホームページ住所などに関する情報を含むことができる。広告主が広告サーバー３００に広告を申請し決済する方法に対しては、前記の図２で既に詳しく説明した。
このとき、広告主が広告情報を登録する方法は、別途の広告主端末機を介して行われてもよい。
【００２４】
以後、広告主が入力した広告情報及び決済情報が、広告サーバー３００の広告ＤＢ  ３４１に格納される（ステップＳ２０２）。
引続き、広告サーバー３００の広告処理部３１０は、広告要請に応答してＳＯＩサーバー２００から印加された位置基盤データに基づき、広告ＤＢ  ３４０で接合した広告を抽出して分析する（ステップＳ２０３）。
即ち、広告処理部３１０は、エンベデッドマップ１１０に提供される地図に含まれた業者のうち広告ＤＢ  ３４１に格納された広告主に該当する業者があるのかを検索して表示する広告を選択する。ここで、広告は当該広告主と係わる広告コンテンツ情報である。
【００２５】
次に、広告処理部３１０は当該広告を広告条件に合わせて生成し、ＡＰＩ  ３２０を介し使用者端末機１００のエンベデッドマップ１１０へ送信する（ステップＳ２０４）。
引続き、使用者端末機１００の広告コンテンツ情報本文にあるエンベデッドマップ１１０に広告が掲載される（ステップＳ２０５）。
次に、エンベデッドマップ１００を介し掲載した広告のログ情報は、ロガーＡＰＩ３３０を介し広告処理部３１０へ伝達され、広告サーバー３００の広告ログＤＢ  ３４２に収集され格納される（ステップＳ２０６）。
広告処理部３１０は、広告コンテンツ情報別に広告ログ内訳を収集して広告内訳ＤＢ  ３４３に格納する（ステップＳ２０７）。
【００２６】
以後、広告処理部３１０は、広告内訳ＤＢ  ３４３に格納されたログ情報に基づき広告掲載に寄与した広告媒体に広告費の精算を行う（ステップＳ２０８）。
例えば、広告費の精算時にＣＰＣ（Ｃｏｓｔ  Ｐｅｒ  Ｃｌｉｃｋ；１回クリック当りの課金費用）方式によりログ回数を介して広告費用を決定することもできる。本発明の実施形態では、下記の図５に示す通り、動画をクリックする回数に従い広告収益を策定することができる。
このようなＣＰＣ方式は、インターネット使用者が広告をクリックし、当該広告領域にリンクされた動画に接続する度に追加的な広告収益が発生するようにすることもできる。広告費を精算する方法は多様であり、本発明ではＣＰＣ方式に限定されない。
【００２７】
図４乃至図８は、本発明の実施形態に係るエンベデッドマップを利用した広告システムの画面構成を示す図である。
使用者端末機１００で広告が掲載されるするエンベデッドマップ１１０は、ＳＯＩ情報に基づき図４のように表示できる。図４に示す通り、エンベデッドマップ１１０の当該位置にＳＯＩ情報１１１が表示され、ＳＯＩ情報１１１に係る広告領域１１２がテキスト形態に表示される。
ここで、エンベデッドマップ１１０上の広告領域１１２を使用者がクリックする場合、広告主が登録した当該ページに移動するこ。
さらに、エンベデッドマップ１１０上の広告領域１１２を使用者がクリックする場合、図５に示す通り、広告ＤＢ  ３４１に予め格納された広告動画がエンベデッドマップ１１０にディスプレイされる。このとき、エンベデッドマップ１１０上にディスプレイされた動画画面で使用者が特定バナーをクリックする場合、広告主が登録した当該ページに移動することになる。
【００２８】
そして、図６では、ネットワーク上でエンベデッドマップ１１０の地図上に広告動画画面がオーバーレイ（ｏｖｅｒｌａｙ）され、地図と広告コンテンツ情報が連動され動作するようにするマーカー（ｍａｒｋｅｒ）方式を採用する。さらに、広告領域１１２はエンベデッドマップ１１０を代替するようにディスプレイされる。そして、エンベデッドマップ１１０は地図情報を示すマップと、マップと隣接して形成され、一つ又はそれ以上の追加的なグラフィック要素（Ｇｒａｐｈｉｃａｌ  ｅｌｅｍｅｎｔｓ）を含む。さらに、広告領域１１２は、マップ上に少なくとも一部がオーバーレイされるように形成される。そして、広告領域１１２はマップを代替するようにディスプレイされる。
さらに、エンベデッドマップ１１０でのＳＯＩ情報１１３は、図６のように表示される。
【００２９】
図６に示す通り、エンベデッドマップ１１０の当該位置にＳＯＩ情報１１３が表示され、ＳＯＩ情報１１３に係る広告領域１１４、１１５がテキスト形態に幾多の位置に表示される。図６の実施形態では、複数個の広告領域１１４、１１５がＳＯＩ情報１１３と重ならないようエンベデッドマップ１１０の下段に表示される。
ここで、エンベデッドマップ１１０上の広告領域１１４を使用者がクリックする場合、図７に示す通り、広告ＤＢ  ３４１に予め格納された広告イメージがエンベデッドマップ１１０にディスプレイされる。即ち、図７では、広告イメージがバナー形態に提供されることを示す。ここで、バナー広告は業者情報以外に割引クーポン有無、評価情報などが共に提供される。
【００３０】
図７（Ａ）は、広告主が申請した当該業者の品物を販売する各地点の位置情報を表示するものである。
そして、図７では、ネットワーク上でエンベデッドマップ１１０の地図上に広告イメージがオーバーレイ（ｏｖｅｒｌａｙ）され、地図と広告コンテンツ情報が連動され動作するようにするマーカー（ｍａｒｋｅｒ）方式を採用することもできる。
ここで、広告コンテンツ情報は広告主と係る業者の名称、住所、電話番号、ホームページ、ホームページ連結タブ、電話連結タブ、クーポン及び広告文句などの情報を含む。
このとき、エンベデッドマップ１１０上にディスプレイされた広告イメージ画面で使用者が特定バナーをクリックする場合、広告主が登録した当該ページに移動することになる。
【００３１】
さらに、エンベデッドマップ１１０上の広告イメージ画面で複数個の商品のうち使用者が関心のある一つの商品をクリックする場合、図８に示す通り、その商品に対する広告主ページに再度移動する。
例えば、エンベデッドマップ１１０上の現代自動車支店が掲載する所に、現代自動車のイベント情報ページの掲載を要請する。そして、広告主の広告申請条件とエンベデッドマップ１１０の広告マッチングを介し現代自動車のイベント広告が掲載される。
エンベデッドマップ１１０上のイメージ画面でイベント広告をクリックすると、詳細ページがディスプレイされる。当該ページには、現代自動車イベントに参加することができる代理店リスト等が整列されて掲載される。このリストで関心のある一つの商品を選択すれば、ここに連結されたリンクに移動することになる。ここで、連結されたリンクは、特定ページ又は位置などになる。
【００３２】
これに伴い、広告イメージ画面で関心品目に対する情報をさらに詳しく知りたい場合、当該広告イメージ上で直ぐ画面をクリックして当該情報を得ることができるので、広告効果を高めることができるだけでなく、使用者に便利さを提供することができる。
一方、エンベデッドマップ１１０上の広告領域１１５を使用者がクリックする場合、図９に示す通り、広告ＤＢ  ３４１に予め格納された広告主の特定広告ページ情報がエンベデッドマップ１１０にディスプレイされる。図８で（Ｂ）のような表示は、使用者が  「全体マップ１１６」情報をクリックする場合、広告主が申請した当該イベントが進められる位置経路を表示するものである。
【００３３】
このとき、エンベデッドマップ１１０上にディスプレイされた特定広告ページ画面で使用者が「詳細情報１１６」をクリックする場合、広告主が登録した当該ページに移動することになる。
このように、エンベデッドマップ１１０上の所定の位置を介し提供される広告コンテンツ情報は、例えば、建物名／商号名のテキスト広告、イメージ（ｉｍａｇｅ）又はシンボル広告、アニメーション（Ａｎｉｍａｔｉｏｎ）ＧＩＦ、フラッシュ（Ｆｌａｓｈ）などのアニメーション広告、音声広告、動画広告などでもよく、広告主のウェブサイトへの移動を可能にするＵＲＬ情報であってもよい。
本発明では位置情報を提供するサーバーがＳＯＩサーバー２００であることをその実施形態として説明したが、本発明はこれに限定されるものではなく、位置情報を提供するＰＯＩ（Ｐｏｉｎｔ  ｏｆ  Ｉｎｔｅｒｅｓｔ）サーバーからなってもよい。
【符号の説明】
【００３４】
１０    広告主
１００  使用者端末機
１１０  エンベデッドマップ
１１１  ＳＯＩ情報
１１２、１１４、１１５  広告領域
１１３  ＳＯＩ情報
１１６  全体マップ
２００  ＳＯＩサーバー
２２０  エンベデッドマップ
３００  広告サーバー
３１０  広告処理部
３２０  ＡＰＩ、応用プログラミングインタフェース
３３０  ロガーＡＰＩ  
３４０  データベース部
３４１  広告データベース
３４２  広告ログデータベース
３４３  広告内訳データベース
【図１】
2013156633.tif 000003
【図２】
2013156633.tif 000004
【図３】
2013156633.tif 000005
【図４】
2013156633.tif 000006
【図５】
2013156633.tif 000007
【図６】
2013156633.tif 000008
【図７】
2013156633.tif 000009
【図８】
2013156633.tif 000010
【図９】
2013156633.tif 000011